(57)【特許請求の範囲】
【請求項１】
靴下の足底部の接地部分に、パイル編地とメッシュ編地を交互に編成して畝が形成された第１畝状領域を設けるとともに、足甲部には、パイル編地とメッシュ編地を交互に編成してウェール方向に畝が形成された第２畝状領域を設けた靴下であって、
前記第１畝状領域の畝は、拇趾側付け根部ではウェール方向に形成し、第五趾側付け根部においては、土踏まず部から第五趾の外側の向けた方向に斜めとなるように形成するとともに、足底中央外側部に、コース方向に畝が形成された部分を設けたことを特徴とする靴下。
【請求項２】
前記第１畝状領域は、足底部の接地部分の内、拇趾側付け根部と、第五趾側付け根部と、足底中央外側部とにのみ設けたことを特徴とする請求項１記載の靴下。
【請求項３】
前記第１畝状領域と前記第２畝状領域は、共に、パイル編地による凸部とメッシュ編地による凹部が、４ウェール以上８ウェール以下の範囲内で交互に表れる編み構造としたことを特徴とする請求項１又は２に記載の靴下。
【請求項４】
前記第１畝状領域は、パイル編地による凸部とメッシュ編地による凹部が４ウェール毎に交互に表れる編み構造とするとともに、前記第２畝状領域は、パイル編地による凸部とメッシュ編地による凹部が８ウェール毎に交互に表れる編み構造としたことを特徴とする請求項１〜３の何れかに記載の靴下。
【請求項５】
前記第２畝状領域を、足甲部からレッグ部の少なくとも一部に至るまでウェール方向に延設したことを特徴とする請求項１〜４の何れかに記載の靴下。
【請求項６】
前記第１畝状領域と前記第２畝状領域に設ける畝は、靴下の内面側に凹凸が生じるようにしたことを特徴とする請求項１〜５の何れかに記載の靴下。
【請求項７】
前記第１畝状領域と前記第２畝状領域は、吸水速乾性の高いポリエステル、アクリル、毛、レーヨン、綿の１種又は２種以上の素材で編成したことを特徴とする請求項１〜６の何れかに記載の靴下。
【請求項８】
かかと部とつま先部はパイル編地で編成するとともに、土踏まず部はメッシュ編地で編成したことを特徴とする請求項１〜７の何れかに記載の靴下。
【請求項９】
かかと部の上方の位置に、パイル編地とメッシュ編地を交互に編成してウェール方向に畝が形成された第３畝状領域を、さらに設けたことを特徴とする請求項１〜８の何れかに記載の靴下。
【発明の詳細な説明】
【技術分野】
【０００１】
本発明は、靴下の内外の空気を換気する機能を高め、靴下内の温度及び湿度の上昇を可及的に抑制する効果を備えた靴下に関する。
【背景技術】
【０００２】
靴下を着用したときの靴下内の環境を極力、快適なものとするために、吸水速乾性の高い素材やメッシュ構造の素材を用いた靴下が市販されている。
【０００３】
また、従来より、靴下の土踏まず部に、平編み部分とパイル編み部分を格子状に配置して、足底部の特定の部分の通気性を高めた靴下も提案されている。
【特許文献１】特開２００１−２９５１０４号公報
【０００４】
しかし、歩行時には足裏全体の温度が上昇するため、特許文献１の靴下のように、足底部の非接地部分である土踏まず部にだけ通気性を高めた部位を設けても、蒸れた空気が靴内に留まるだけで、換気性は向上しないので、左程の効果は期待できないという問題があった。
【特許文献２】実用新案登録第３１１３２５３号公報
【０００５】
また、上記特許文献２には、足甲側及び足裏側の指付け根部と土踏まず部にはメッシュ編を、足底部と爪先部にはパイル編を、それぞれ編成した構成の靴下が開示されている。しかし、この特許文献２の靴下も、主として足底部の非接地部分である指付け根部と土踏まず部だけ通気性を良くしたものであって、付加的に、足首部の前側と足甲部にメッシュ編とパイル編を交互に配置した部分を設けていても、靴下内又は靴内における空気の逃げ道が考慮されていないので、十分な換気性は得られないという問題があった。
【０００６】
また、下記特許文献３には、足底部の外面にパイル長を変化させることにより形成した凹凸帯を一定幅で設けたり、土踏まず部の前側に、足底部から足甲側に至る全周に亘って複数の凹凸帯を形成した構成の靴下が提案されている。
【特許文献３】実用新案登録第３１２１３９７号公報
【０００７】
しかし、上記特許文献３の靴下も、靴下内又は靴内における蒸れた空気の逃げ道が考慮されていないので、十分な換気性を得ることができないという問題があった。足底部から足甲側に至る全周に凹凸帯を形成しても、蒸れた空気がその凹凸帯に沿って循環することになるため、蒸れ感は解消しない。
【発明の開示】
【発明が解決しようとする課題】
【０００８】
解決しようとする課題は、従来の靴下は、靴下の特定部位の通気性を良くするのみで、蒸れた空気を靴外へ放出するための空気の逃げ道が確保されておらず、靴外の外気を靴下内へ取り入れて換気性を高めることも出来ない点である。
【課題を解決するための手段】
【０００９】
上記した課題を解決するため、本発明の靴下は、
靴下の足底部の接地部分に、パイル編地とメッシュ編地を交互に編成して畝が形成された第１畝状領域を設けるとともに、足甲部には、パイル編地とメッシュ編地を交互に編成してウェール方向に畝が形成された第２畝状領域を設けた靴下であって、
前記第１畝状領域の畝は、拇趾側付け根部ではウェール方向に形成し、第五趾側付け根部においては、土踏まず部から第五趾の外側の向けた方向に斜めとなるように形成するとともに、足底中央外側部に、コース方向に畝が形成された部分を設けたことを最も主要な特徴点としている。
【発明の効果】
【００１０】
本発明によれば、パイル編地とメッシュ編地が交互に編成された第１畝状領を靴下の足底部の接地部分に設けたので、歩行の際に、足趾部や土踏まず部などの非接地部分に溜まった蒸れた空気は、第１畝状領域の畝の凹部を通って、足甲部側へと押し出され、通気が促進される。加えて、足甲部には、パイル編地とメッシュ編地が交互に編成され、ウェール方向に畝が形成された第２畝状領域を設けたので、第１畝状領域を通って足甲側に流れた空気は、第２畝状領域を通って靴外へと放出される。また、靴外の外気が、上記と逆のルートを通って靴下内に導入されるので、靴下内の換気性を高めることができる。
【発明を実施するための最良の形態】
【００１１】
本発明は、靴下の特定部位のみの通気性を高めるのではなく、靴下内の主として非接地部分に存在する蒸れた空気を靴外へ放出するとともに、靴外の外気を靴下内へ取り入れるという目的を、靴下の足底部の接地部分に、パイル編地とメッシュ編地を交互に編成して所要の方向に畝を形成した第１畝状領域を設けるとともに、足甲部には、パイル編地とメッシュ編地を交互に編成してウェール方向に畝が形成された第２畝状領域を設けたことによって実現した。
【００１２】
パイル編地とメッシュ編地を交互に編成すると、パイル編地の方が生地の厚みが嵩高となるため、パイル編地による凸部とメッシュ編地による凹部が交互に配置された状態となる。本発明では、このパイル編地（凸部）とメッシュ編地（凹部）が交互に配置された状態を「畝」という。
【００１３】
図５は、本発明の靴下を着用した状態における足部の縦断面を表した模式図である。本発明の靴下では、図５に示すように、靴下の内面に、パイル編地Ｐによる凸部とメッシュ編地Ｍによる凹部が交互に配置された畝を設けているので、メッシュ編地Ｍによる凹部が蒸れた空気を靴外へと排出するための通り道となる。
【００１４】
本発明では、第１畝状領域は、足底部の接地部分の内、拇趾側付け根部と、第五趾側付け根部と、足底中央外側部とにのみ設ける方が望ましい。足底部の接地部分には、かかと部も含まれるが、図６に示すように、かかと部４は、歩行の際に最初に力が加わる部位であるため、靴下内で蒸れた空気が最も溜まり易い足趾部５ａや土踏まず部３などの非接地部分に溜まった蒸れた空気は、かかと部４よりも前方の、拇趾側付け根部や、第五趾側付け根部、足底中央外側部などの位置から足甲側に送るように、メッシュ編地の凹部による空気の通り道を設ける方が、換気効率が良いからである。また、かかと部４に第１畝状領域を設けることも可能であるが、かかと部４には歩行の際に強い力が加わるので、畝構造が潰れるおそれがあるからである。
【００１５】
なお、本発明において、足底部の「接地部分」とは、平らな床面に自然に直立したときに、足底部において床面と接触する部分をいい、「非接地部分」とは、足底部において「接地部分」以外の部分をいう。
【００１６】
前述したように、靴下の足底部には、足趾部や土踏まず部などの非接地部分に蒸れた空気が溜まっているため、通気を良くするためには、足趾部と土踏まず部を繋ぐように空気の通り道をできるだけ多く設けるのが効果的である。本発明の靴下では、第１畝状領域に設ける畝を全てウェール方向に形成することも可能であるが、その場合は、拇趾側付け根部においては、足趾部と土踏まず部の通気が促進されるが、第五趾側付け根部においては通気が遮断されることとなる。
【００１７】
そこで、本発明では、第１畝状領域の畝は、拇趾側付け根部ではウェール方向に形成するとともに、第五趾側付け根部においては、土踏まず部から第五趾の外側の向けた方向に斜めとなるように形成することがより望ましい。このようにすれば、拇趾側付け根部だけでなく、第五趾側付け根部においても、足趾部と土踏まず部の双方向の通気が促され、蒸れた空気をより効率的に足甲部側に送ることができるからである。
【００１８】
また、上記のように構成する場合、足底中央外側部に、コース方向に畝が形成された部分を設ける方がより望ましい。土踏まず部に溜まった蒸れた空気を、足底中央外側部に設けた畝の凹部を通して、足の外側方向へ逃がすことができるからである。
【００１９】
第１畝状領域は、上記と同じ理由により、土踏まず部の位置から見て放射状に畝が形成されるように、拇趾側付け根部と、第五趾側付け根部と、足底中央外側部とに設けても良い。畝を放射状に配置すれば、足趾部と土踏まず部の間の双方向の通気性は、拇趾側付け根部だけでなく、第五趾側付け根部においても促されることに加え、土踏まず部に溜まった蒸れた空気は、足底中央外側部に設けた畝の凹部を通して足の外側へ逃がすことができるからである。
【００２０】
本発明では、パイル編地による凸部とメッシュ編地による凹部を交互に設けるが、その凸部と凹部の各幅は、特に限定をするものではなく、換気性能、足の曲率、履き心地、クッション性などを考慮して、適宜設定することができる。
【００２１】
もっとも、通気性能とクッション性のバランスの観点からは、第１畝状領域と第２畝状領域は、共に、パイル編地による凸部とメッシュ編地による凹部が、４ウェール以上８ウェール以下の範囲内で交互に表れる編み構造とすることが望ましい。また、靴下の設計上の観点からは第１畝状領域、第２畝状領域における各畝は、凹部と凸部が等間隔で表れるものとした方が望ましい。
【００２２】
さらに、上記のように構成する場合、第１畝状領域は、パイル編地による凸部とメッシュ編地による凹部が４ウェール毎に交互に表れる編み構造とするとともに、第２畝状領域は、パイル編地による凸部とメッシュ編地による凹部が８ウェール毎に交互に表れる編み構造とすることが最も望ましい。第１畝状領域は、体重による押圧を受けるので、上記した好適な範囲の中でも下限値の４ウェールを採用して凹部が潰れないように構成するとともに、第２畝状領域は、体重による押圧は受けないので、上限値の８ウェールを採用して換気性能を高めたものである。
【００２３】
本発明では、第２畝状領域を、足甲部からレッグ部の少なくとも一部に至るまでウェール方向に延設する方がより望ましい。第２畝状領域は、足底部に溜まっていた蒸れた空気を靴外へと排出する役割を果たすものであるが、レッグ部の少なくとも一部に至るまで延設することにより、より確実に靴外への排出が行えるからである。
【００２４】
なお、レッグ部において、第２畝状領域を設けない部位は、例えば、サポート編み、タック編み、浮き編み、畦編みとしたり、靴下をずり落ち難くするためにゴム糸を挿入した編み組織で編成することができる。また、本発明では、レッグ部の全範囲に第２畝状領域を設けることも可能である。
【００２５】
本発明では、第１畝状領域と第２畝状領域に設ける畝は、靴下の内面側に凹凸が生じるように構成することも可能であるし、外面側に凹凸が生じるように構成することも可能である。内面側に設けた場合は、パイル編地の凹部による空気の通り道は、図５に示すように、靴下と足の皮膚の間に形成される。一方、外面側に設けた場合は、靴下と靴の間に、パイル編地の凹部による空気の通り道が形成される。
【００２６】
しかし、足の皮膚で直接、通気性の良さを体感できるという観点からは、パイル編地の凹部による空気の通り道は靴下の内面側に形成する方が好適である。したがって、本発明では、第１畝状領域と第２畝状領域に設ける畝は、靴下の内面側に凹凸が生じるように構成する方がより望ましい。
【００２７】
本発明では、第１畝状領域と第２畝状領域は、吸水速乾性の高いポリエステル、アクリル、毛、レーヨン、綿の１種又は２種以上の素材で編成する方がより望ましい。吸水速乾性の高い素材を使用して汗の吸い取りと乾燥を速めることで、メッシュ編地による通気効果が持続するからである。
【００２８】
また、本発明では、かかと部とつま先部はパイル編地で編成するとともに、土踏まず部はメッシュ編地で編成する方がより望ましい。歩行の際の着地時に最も衝撃を受けるかかと部をパイル編みとして衝撃吸収力を向上させるとともに、蹴り出す方向に力が加わるつま先部もパイル編みとすることで蹴出力の確保を図ったものである。また、土踏まず部をメッシュ編みとすることにより、蒸れた空気が溜まり易い土踏まず部の通気性が良くなるからである。
【００２９】
また、本発明では、かかと部の上方の位置に、パイル編地とメッシュ編地を交互に編成してウェール方向に畝が形成された第３畝状領域を、さらに設ける方がより望ましい。このようにすれば、第１畝状領域、第２畝状領域により得られる換気機能に加え、レッグ部の裏側においても、靴外の空気との通気性を高めることができる。
【実施例】
【００３０】
以下、本発明の靴下を、実施例に基いてさらに詳細に説明する。図１は、左足用の本発明の靴下を足底部側の面から見た状態を表した説明図、図２は、同靴下を足甲部側の面から見た状態を表した説明図、図３は、同靴下を拇趾側の面から見た状態を表した説明図、図４は、同靴下を第五趾側の面から見た状態を表した説明図である。
【００３１】
本実施例の靴下Ｋは、吸水速乾性の高い綿・ポリエステル混（綿が６０％、ポリエステルが４０％）の素材を使用しており、通常の靴下編機を使用し、表糸と裏糸によって編成されている。裏糸は、編み立て性の良いＦＴＹを使用している。ＦＴＹとは、ポリウレタン繊維にナイロン繊維又はポリエステル繊維をカバーリングした一般的に靴下の裏糸として用いられている繊維である。
【００３２】
本実施例の靴下Ｋは、図１〜図４に示すように、靴下Ｋの足底部の接地部分に、パイル編地Ｐとメッシュ編地Ｍを交互に編成して所要の方向に畝を形成した第１畝状領域１を設けるとともに、足甲部２ａには、パイル編地Ｐとメッシュ編地Ｍを交互に編成してウェール方向に畝が形成された第２畝状領域２が設けられている。図１において、３は蒸れた空気が溜まり易い土踏まず部を、４はかかと部を、５はつま先部を、６はレッグ部の上方の一部を、７は口ゴム部を表している。
【００３３】
パイル編地Ｐとメッシュ編地Ｍを交互に編成すると、パイル編地Ｐの方が生地の厚みを嵩高とすることができるので、パイル編地Ｐによる凸部とメッシュ編地Ｍによる凹部が交互に配置された畝を形成することができる。本発明では、このメッシュ編地Ｍによる凹部を、蒸れた空気を靴外に排出するための空気の逃げ道として利用する。
【００３４】
本実施例の靴下Ｋは、図１に示すように、足底部の接地部分の内、拇趾側付け根部１ａと、第五趾側付け根部１ｂと、足底中央外側部１ｃとにのみ第１畝状領域１を設け、かかと部４には設けていない。なぜなら、かかと部４は、歩行の際に最初に力が加わる部位であるため、靴下内で蒸れた空気が最も溜まり易い足趾部５ａや土踏まず部３などの非接地部分に溜まった蒸れた空気は、かかと部４よりも前方の、拇趾側付け根部１ａや、第五趾側付け根部１ｂ、足底中央外側部１ｃなどの位置から足甲側２ａに送るように、メッシュ編地の凹部による空気の通り道を設ける方が、換気効率が良いからである。
【００３５】
また、本実施例の靴下Ｋでは、第１畝状領域１の畝は、拇趾側付け根部１ａではウェール方向に形成するとともに、第五趾側付け根部１ｂにおいては、土踏まず部３から第五趾の外側の向けた方向に斜めとなるように形成している。
【００３６】
このように構成した理由は、本発明の靴下では、第１畝状領域１に設ける畝を全てウェール方向に形成することも可能であるが、その場合は、拇趾側付け根部１ａにおいては、足趾部５ａと土踏まず部３間の相互の通気が促進されるが、第五趾側付け根部１ｂにおいては通気が遮断されることとなるからである。本実施例の靴下Ｋのように、第五趾側付け根部１ｂは、土踏まず部３から第五趾の外側の向けた方向に斜めとなるように畝を形成すれば、第五趾側付け根部においても換気が促進され、蒸れた空気をより効率的に足甲部２ａ側に送ることができる。
【００３７】
また、実施例の靴下Ｋは、図１に示すように、足底中央外側部１ｃのウェール方向両端に、コース方向に畝が形成された部分を設けている。このようにすれば、土踏まず部３に溜まった蒸れた空気を、足底中央外側部１ｃに設けた畝の凹部を通して、足の外側方向へ逃がすことができる。
【００３８】
本実施例では、図１に示す第１畝状領域１は、パイル編地Ｐによる凸部とメッシュ編地Ｍによる凹部が４ウェール毎に交互に表れる編み構造とするとともに、図２に示す第２畝状領域２は、パイル編地Ｐによる凸部とメッシュ編地Ｍによる凹部が８ウェール毎に交互に表れる編み構造としている。
【００３９】
凸部と凹部の幅の設計は、特に限定されないが、後述する水平方向の通気性能の測定試験結果からすると、第１畝状領域と第２畝状領域は、共に、パイル編地による凸部とメッシュ編地による凹部が、４ウェール以上８ウェール以下の範囲内で交互に表れる編み構造とすることが、通気性能とクッション性のバランスの観点からは、望ましいことが判明しているからである。
【００４０】
また、第１畝状領域１は、体重による押圧を受けるので、４ウェールを採用して凹部が潰れないように構成するとともに、第２畝状領域２は、体重による押圧は受けないので、上限値の８ウェールを採用して、靴外への換気機能を向上させる方が良いからである。
【００４１】
図２は、本実施例の靴下Ｋを足甲部２ａの側から見た状態の説明図である。２ｂと６を併せた範囲がレッグ部であるが、本実施例では、第２畝状領域２を、足甲部２ａからレッグ部の一部２ｂに至るまでウェール方向に延設している。第２畝状領域２は、足底部に溜まっていた蒸れた空気を靴外へと排出する役割を果たすものであるが、第２畝状領域２をレッグ部の少なくとも一部２ｂに至るまで延設することにより、より確実に、蒸れた空気を靴外に排出できる。なお、第２畝状領域を設けないレッグ部６は、靴下Ｋをずり落ち難くするためにサポート編みで編成している。
【００４２】
図３〜図４は、本実施例の靴下Ｋを拇趾側又は第五趾側から見た状態の説明図である。本実施例では、第１畝状領域１と第２畝状領域２に設ける畝は、靴下の内面側に凹凸が生じるように構成している。靴下と足の皮膚の間に空気の通り道が形成され、足の皮膚で直接、通気性の良さを体感できるからである。
【００４３】
本実施例では、歩行の際の着地時に最も衝撃を受けるかかと部４は、パイル編みとして衝撃吸収力を向上させるとともに、蹴り出す方向に力が加わるつま先部５もパイル編みとすることで、蹴出力の確保を図っている。また、蒸れた空気が溜まりやすい土踏まず部３はメッシュ編地とすることにより、土踏まず部３の湿気や熱をメッシュ編地を通じて外部に放出することができる。
【００４４】
また、本実施例の靴下Ｋでは、かかと部４の上方の位置に、図３〜図４に示すように、パイル編地とメッシュ編地を交互に編成してウェール方向に畝が形成された第３畝状領域８をさらに設けているので、第１畝状領域１、第２畝状領域２により得られる換気機能に加え、レッグ部の裏側においても換気性を高めることができる。
【００４５】
さらに進んで、本発明の靴下の効果を確認するために行った試験の方法及び結果について説明する。効果確認試験は、（イ）水平方向の通気性能の測定試験、（ロ）靴内換気回数評価試験、（ハ）着用８時間後の微生物数と臭気強度の測定試験、（ニ）靴内シミュレーション試験、（ホ）生地の通気性能の測定試験、の５項目について実施した。
【００４６】
（イ）水平方向の通気性能の測定試験
靴下によって想定される靴内の換気環境の変化を評価するために、フラジール型通気性試験機を使用し、編み組織の水平方向の通気性を測定した。
【００４７】
１）試験方法
アクリル板で作成した試験冶具に試験布をはさみ、フラジール型通気性試験機に試験布を挟んだ冶具を垂直に設置した。試験布に対して水平方向の通気性を２回計測し、平均値を求めた。
【００４８】
比較例は、平編みで編成された靴下（比較例１：プレーン）、パイル編みで編成された靴下（比較例２：パイル）、メッシュ編みで編成された靴下（比較例３：メッシュ）の３点を準備した。
【００４９】
本発明にかかる靴下としては、第１畝状領域と第２畝状領域を、共に、４ウェール毎にパイル編地とメッシュ編地が交互に表れるように編成した靴下（実施例１、メッシュ：４ウェール、パイル：４ウェール）、８ウェール毎にパイル編地とメッシュ編地が交互に表れるように編成した靴下（実施例２、メッシュ：８ウェール、パイル：８ウェール）、１２ウェール毎にパイル編地とメッシュ編地が交互に表れるように編成した靴下（実施例３、メッシュ：１２ウェール、パイル：１２ウェール）を準備するとともに、メッシュ編地１２ウェールに対してパイル編地４ウェールが表れるように編成した靴下（実施例４、メッシュ：１２ウェール、パイル：４ウェール）と、逆に、メッシュ編地４ウェールに対してパイル編地１２ウェールが表れるように編成した靴下（実施例５、メッシュ：４ウェール、パイル：１２ウェール）の５点を準備した。
【００５０】
２）試験結果（表１）
比較例１〜３、実施例１〜５の各靴下について、フラジール型通気性試験機を使用して水平方向の通気性を測定したところ、結果は、表１のとおりとなった。フラジール型通気性試験機では、測定値が大きいほど、水平方向の換気性が良いと評価できる。
【００５１】
【表１】
0005086760.tif 000002
【００５２】
上記のように、一般的な編み構造の靴下である比較例１（プレーン）、比較例２（パイル）、比較例３（メッシュ）の通気性は、０．１６〜０．４ｃｍ3 ／ｓｅｃであったのに対し、本発明にかかる実施例１〜５の靴下の通気性は、２．０２〜５．３０ｃｍ3 ／ｓｅｃとなっており、本発明にかかる靴下は、従来の靴下よりも通気性が優れていることが確認された。
【００５３】
また、第１畝状領域及び第２畝状領域の凹部の幅について、実施例１（４ウェール）、実施例２（８ウェール）、実施例３（１２ウェール）の結果を比較すると、凹部の幅が大きくなるほど通気性が大きくなるが、８ウェールよりも大きくしても飛躍的な向上は見込めず、横ばいの状態に近づくことが確認された。クッション性とのバランスや足のサイズ及び曲率を考慮して設計すると、パイル編地による凸部とメッシュ編地による凹部は、４ウェール以上８ウェール以下の範囲内で交互に表れる編み構造とするのが好適である。
【００５４】
第１畝状領域と第２畝状領域の各畝の凹部と凸部の幅の比について、実施例２（１：１）、実施例４、（３：１）、実施例５（１：３）の結果を比較すると、凹部の割合が大きいほど通気性は良好になるが、１：３まで割合を増やしても飛躍的な向上は見込めず、横ばいの状態に近づくことが確認された。クッション性とのバランスや足のサイズ及び曲率を考慮して設計すると、凹部と凸部の幅の比は１：１が最適である。
【００５５】
（ロ）靴内換気回数評価試験
靴下を着用して靴を履いた場合に想定される靴内の換気環境の変化を、次の試験方法によって評価した。
【００５６】
１）試験方法
標準的な成人女性から複製されたシリコン足型の甲側の拇趾および第二趾付け根部に、５ｍｍ離した２本のフッソ樹脂加工を施した管をサージカルテープで固定し、シリコン足型に試験靴下と革靴を着用させた。甲側の趾根部皮膚表面と靴下間に作られた空間に１０％濃度のＣＯ2 を注入し、５分後を初期濃度として２. ０ｍｌガスタイトシリンジを用いて０．５ｍｌを採取した。次に、ＣＯ2 供給中止から３０秒後、２. ０ｍｌガスタイトシリンジを用いて０．５ｍｌを採取した。ガスクロマトグラフを用いて各ＣＯ2 濃度の分析を行った。そして、分析されたＣＯ2 濃度から下記換気回数算出式により換気回数を算出した。換気回数の値が大きいほど靴内換気能力が高いと評価できる。
【００５７】
換気回数は、社団法人日本繊維製品消費科学会発行の会誌「消費科学」の２００６年５月号（Ｖｏｌ．４７）の第６３〜７１頁に掲載されている内田らの報告「室内換気回数測定法を応用した靴爪先空間換気回数測定法の検討」に基づき、下記数１に示す換気回数式により算出した。
Ｅ：換気回数（回／ｈ) 
ｔ：時間（ｈ) 
Ｃt ：ｔ時間後の靴爪先のＣＯ2 濃度（％) 
Ｃ0 ：環境ＣＯ2 濃度（％) 
Ｃ1 ：靴爪先の初期ＣＯ2 濃度（％) 
【００５８】
【数１】
0005086760.tif 000003
【００５９】
２）試験結果（表２）
パイル編みで編成された比較例２の靴下と、図１〜図４に示した構成の本発明にかかる靴下（第１畝状領域においてはメッシュ編地とパイル編地が４ウェール毎に表れ、第２畝状領域においてはメッシュ編地とパイル編地が８ウェール毎に表れるもの。以下の試験においては実施例６とする。）について靴内換気回数評価試験を実施した。結果は、表２のとおりとなった。
【００６０】
【表２】
0005086760.tif 000004
【００６１】
上記のように、一般的な編み構造の靴下である比較例２（パイル）の換気回数は４．２回／ｈであったのに対し、本発明にかかる靴下では、６．４回／ｈの換気回数をなっている。本発明の靴下は、従来の靴下と比較して靴内換気回数の性能が高く、換気効果が優れていることが確認された。
【００６２】
（ハ）着用８時間後の微生物数と臭気強度の測定試験
本発明にかかる靴下において、第１畝状領域の畝を全てウェール方向に設ける場合と、第五趾側付け根部では土踏まず部から第五趾の外側の向けた方向に斜めとなるように形成する場合とで、蒸れ防止の性能にどの程度の差があるかを確認するため、着用８時間後の微生物数の増加と臭気強度について試験を行った。
【００６３】
１）微生物数に関する試験方法
第五趾側付け根部に３ｃｍ×３ｃｍの綿布を貼りその上から試験靴下を着用し、８時間後に綿布を回収し微生物を抽出した。その後、標準培地にて微生物を培養しコロニー数を計測した。
【００６４】
２）臭気強度に関する試験方法
試験靴下を８時間着用後、回収し、蓋付のプラスチックケースに入れて数回振り、ケース内雰囲気に臭気を満たした。ケースに新コスモス社製ＸＰ３２９Ｎハンディニオイモニターの先端を差込み、臭気強度を計測した。
【００６５】
３）試験結果（表３）
パイル編みで編成された比較例２の靴下と、第五趾側付け根部では土踏まず部から第五趾の外側の向けた方向に斜めとなるように第１畝状領域の畝を設けた実施例６の靴下と、畝を全てウェール方向に設けた実施例７の靴下について、着用８時間後の微生物数と臭気強度を測定した。試験は成人男性２名を対象に行った。
【００６６】
【表３】
0005086760.tif 000005
【００６７】
上記のとおり、平均微生物数は、比較例２＞実施例７＞実施例６の順に少なくなっており、第１畝状領域の畝を放射状に配置することが、足底側の第５趾付け根部分の微生物数の発生を抑制するのに効果的であることが確認された。また、平均臭気強度についても、比較例２＞実施例７＞実施例６の順に抑制されており、第１畝状領域の畝を放射状に配置することが、足裏の臭気の抑制に対しても効果的であることが確認された。
【００６８】
以上の結果から、本発明の靴下は、従来の靴下よりも着用８時間後の微生物数の抑制、及び臭気の抑制に対して優れた効果があり、特に、第１畝状領域の畝を放射状に配置することが、微生物数の抑制と臭気の抑制に関して極めて有効であることが確認された。
【００６９】
（ニ）靴内シミュレーション試験
靴下を着用して靴を履いた場合に想定される靴内の温湿度環境の変化を、発汗シュミレーション装置を応用した靴内シュミレーション装置を使用して試験した。
【００７０】
１）試験方法
図７は、本試験において使用した発汗シミュレータ装置７０の構成を説明する模式図である。発汗シミュレータ装置７０は、靴内環境を想定して任意に温度、発汗量が調整できるように構成された装置であり、７１は水をためておくタンクを、７２は熱板を、７３は１．５ｃｍの幅を確保するためのスペーサーを示している。試験片である靴下Ｓは、発泡スチロール７４との間にセットし、発汗シュミレーター装置７０と靴下Ｓの間の温度及び湿度を計測した。
【００７１】
測定環境は温度２０℃、湿度６５％ＲＨであり、発汗シュミレーター装置７０の温度は人の体温に近い３６℃に、発汗量は３０ｍｌ／ｍ2 ／ｈｒに設定した。
【００７２】
２）試験結果（表４、図８）
本発明にかかる実施例６の靴下と、パイル編みで編成された比較例２の靴下について、靴内シュミレーション試験を実施した。結果は、表４と図８の通りとなった。図８は、試験結果をグラフ化したものであり、（ａ）は温度変化を、（ｂ）は湿度変化を示したものである。
【００７３】
【表４】
0005086760.tif 000006
【００７４】
本発明にかかる実施例６の靴下と、パイルで編成された比較例２の靴下の温度及び湿度を、時間経過とともに比較すると、試験開始０分では湿度が３．７％、温度が０．３℃程度の差しか見られないが、１０分後には、湿度が１８．０％、温度が０．５℃の差が見られ、３０分後には湿度が３１．６％、温度が０．８℃の差となり、６０分後には、湿度が３６．７％、温度が０．９℃もの差に至っている。図８においても、特に湿度の変化を示した（ｂ）のグラフにおいて、時間の経過とともに湿度の差が拡大していることが明らかである。
【００７５】
このように、本発明にかかる靴下は、第１畝状領域及び第２畝状領域に設けたパイル編地とメッシュ編地の畝による換気効果で、従来の靴下と比較して、靴下内の温度及び湿度の上昇を抑える効果のあることが確認された。
【００７６】
（ホ）生地の通気性能の測定試験
３種類の編地（試験１：プレーン、試験２：パイル、試験３：メッシュ）について、編み構造による通気性能の違いを確認するため、ＫＥＳ−Ｆ８通気性試験機を用いて通気性を試験した。結果は、表５に示すとおりとなった。
【００７７】
【表５】
0005086760.tif 000007
【００７８】
通気性はメッシュ構造を用いた試験３が顕著に高く、次いでプレーン構造の試験１、パイル構造の試験２の順となった。したがって、本発明では、蒸れた空気の通り道とする畝の凹部の編み組織としては、メッシュ編みを使用するようにしている。メッシュ編地を使用すれば、第１畝状領域及び第２畝状領域を通して靴外へ排出する途中の段階でも、メッシュ編地を通して、ある程度の通気が図れるからである。
【００７９】
以上説明したように、本発明の靴下は、パイル編地とメッシュ編地が交互に編成された第１畝状領を靴下の足底部の接地部分に設けたので、歩行の際に、足趾部や土踏まず部などの非接地部分に溜まった蒸れた空気は、第１畝状領域の畝の凹部を通って、足甲部側へと押し出されて通気が促進される。加えて、足甲部には、パイル編地とメッシュ編地が交互に編成され、ウェール方向に畝が形成された第２畝状領域を設けたので、第１畝状領域を通って足甲側に流れた空気は、第２畝状領域の畝の凹部を通って靴外へと放出される。また、靴外の外気は、上記と逆のルートを通って靴下内に導入される。したがって、本発明によれば、靴下の内外の空気を換気する機能を高め、靴下内の温度及び湿度の上昇を可及的に抑制する効果が得られる。
【００８０】
本発明は上記実施例に限らず、各請求項に記載された技術的思想の範囲内で、適宜実施の形態を変更しても良い。例えば、第１畝状領域における畝の配置は、図１の実施例に限らず、土踏まず部３の位置から見て放射状に畝が形成されるように、拇趾側付け根部１ａと、第五趾側付け根部１ｂと、足底中央外側部１ｃに設けても良い。
【産業上の利用可能性】
【００８１】
本発明の靴下は、一般用に限らず、ゴルフ、テニス、ジョギングなどのスポーツ用の靴下にも適用できるものである。
【図面の簡単な説明】
【００８２】
【図１】左足用の本発明の靴下を足底部側から見た状態を表した説明図である。
【図２】同靴下を足甲部側から見た状態を表した説明図である。
【図３】同靴下を拇趾側から見た状態を表した説明図である。
【図４】同靴下を第五趾側から見た状態を表した説明図である。
【図５】本発明の靴下を着用した状態の足部の縦断面を表した模式図である。
【図６】本発明の靴下を着用した場合における空気の流れを説明する図である。
【図７】本試験において使用した発汗シミュレータ装置の構成を説明する模式図である。
【図８】靴内シュミレーション試験の結果をグラフ化したものであり、（ａ）は温度変化を（ｂ）は湿度変化を示したものである。
【符号の説明】
【００８３】
Ｋ    靴下
Ｐ    パイル編地
Ｍ    メッシュ編地
１    第１畝状領域
１ａ  拇趾側付け根部
１ｂ  第五趾側付け根部
１ｃ  足底中央外側部
２    第２畝状領域
２ａ  足甲部
２ｂ  足甲部の一部
３    土踏まず部
４    かかと部
５    つま先部
８    第３畝状領域
【図１】
0005086760.tif 000008
【図２】
0005086760.tif 000009
【図３】
0005086760.tif 000010
【図４】
0005086760.tif 000011
【図５】
0005086760.tif 000012
【図６】
0005086760.tif 000013
【図７】
0005086760.tif 000014
【図８】
0005086760.tif 000015